(57)【要約】【課題】装置を大型化することなく、照明光の高輝度化、かつ、高均斉度化が可能な中空式面照明装置を提供する。【解決手段】中空のユニットケースの底面側に光反射面部材２を配置し、ユニットケースの光反射面部材と対向する表側に発光面部材３を配置して光反射面部材と発光面部材とで挟まれる空間を中空導光領域１０とし、配線基板６に赤色、緑色、青色それぞれを単色発光する多数個のＬＥＤ７Ｒ，７Ｂ，７Ｇを列設実装して成るＬＥＤ光源５を中空導光領域に出射するように配置し、中空導光領域内に、ＬＥＤ光源から中空導光領域に入射した光に対して計測するカラーセンサを設置し、カラーセンサの計測するＲＧＢ光それぞれの照度に基づき、ＬＥＤ光源のＲＧＢそれぞれのＬＥＤの発光強度を制御するＬＥＤ制御回路を設けた中空式面照明装置。【選択図】      図１
2008251230.tif 000002
【特許請求の範囲】
【請求項１】
中空のユニットケースの底面側に光反射面部材を配置し、
前記ユニットケースの前記光反射面部材と対向する表側に発光面部材を配置し、
前記ユニットケースにおける前記光反射面部材と発光面部材とで挟まれる空間を中空導光領域とし、
配線基板に赤色、緑色、青色それぞれを単色発光する多数個のＬＥＤを列設実装して成るＬＥＤ光源を前記中空導光領域に隣接して、当該中空導光領域に出射するように配置し、
前記ＬＥＤ光源からの光をその光軸が前記ユニットケースの発光面部材の面に平行になるように集光するＬＥＤコリメータを前記ＬＥＤ光源の出射部に前記ＬＥＤの配列と平行に配置し、
前記光反射面部材上の前記ＬＥＤコリメータの近傍位置に、前記ＬＥＤ光源から中空導光領域に入射した光に対して赤色光、緑色光、青色光それぞれの照度を個別に計測するカラーセンサを設置し、
前記カラーセンサの計測する赤色光、緑色光、青色光それぞれの照度に基づき、前記ＬＥＤ光源の赤色、緑色、青色それぞれのＬＥＤの発光強度を制御するＬＥＤ制御手段を設けたことを特徴とする中空式面照明装置。
【請求項２】
前記光反射面部材は、中央を稜線とする山形とし、
前記ＬＥＤ光源は、前記ユニットケースにおける前記光反射面部材の両側低部に隣接する側面部それぞれに設置し、
前記カラーセンサは、前記光反射面部材の両側低部それぞれの上に設置したことを特徴とする請求項１に記載の中空式面照明装置。
【請求項３】
中空のユニットケースの底面側に光反射面部材を配置し、
前記ユニットケースの前記光反射面部材と対向する表側に発光面部材を配置し、
前記ユニットケースにおける前記光反射面部材と発光面部材とで挟まれる空間を中空導光領域とし、
配線基板に白色発光する多数個のＬＥＤを列設実装して成るＬＥＤ光源を前記中空導光領域に隣接して、当該中空導光領域に出射するように配置し、
前記ＬＥＤ光源からの光をその光軸が前記ユニットケースの発光面部材の面に平行になるように集光するＬＥＤコリメータを前記ＬＥＤ光源の出射部に前記ＬＥＤの配列と平行に配置し、
前記光反射面部材上の前記ＬＥＤコリメータの近傍位置に、前記ＬＥＤ光源から中空導光領域に入射した白色光の照度を計測する照度センサを設置し、
前記照度センサの計測する照度に基づき、前記ＬＥＤ光源のＬＥＤの発光強度を制御するＬＥＤ制御手段を設けたことを特徴とする中空式面照明装置。
【請求項４】
前記光反射面部材は、中央を稜線とする山形とし、
前記ＬＥＤ光源は、前記ユニットケースにおける前記光反射面部材の両側低部に隣接する側面部それぞれに設置し、
前記照度センサは、前記光反射面部材の両側低部それぞれの上に設置したことを特徴とする請求項３に記載の中空式面照明装置。
【発明の詳細な説明】
【技術分野】
【０００１】
本発明は、例えば液晶表示装置のバックライトユニットのように発光面から均一な輝度分布の照明光を出射する中空式面照明装置に関する。
【背景技術】
【０００２】
近年、液晶表示装置用バックライトユニットの光源として、冷陰極放電灯からＬＥＤに代替される動きが進んでいる。これは、ＬＥＤには有害物質である水銀が含まれず、環境調和型の光源として適していること、また最近の大幅な発光効率の向上により消費電力が大幅に低減できることによるところが大きい。ＬＥＤを光源として備えるバックライトユニットは、これまで携帯電話機やモバイル端末のように概ね小型機器に対する用途が中心であったが、最近では２０インチ型以上の液晶モニタや液晶テレビ等、大型の液晶表示装置にも採用の動きが進んでいる。
【０００３】
大型液晶表示装置の場合、そのバックライトユニットには高輝度であることが求められる。そのため、小型のバックライトユニットで一般的に採用されている、導光板の側部に光源を配置して発光させ、導光板に側面から導光して拡散、反射させ、導光板の表側の面発光部から出射させる特開平８−１７１８０６号公報（特許文献１）、特開２００６−１０６２１２号公報（特許文献２）のようなサイドライト方式は大型液晶表示装置のバックライトとしては採用されていない。大型液晶表示装置用のバックライトユニットとしては、特開２００５−３１６３３７号公報（特許文献３）に記載されているように、面発光部の直下にＬＥＤ光源を配置した直下型のバックライトユニットが一般的になっている。
【０００４】
このような直下型のバックライトユニットでは、光源がＬＥＤであるため、配列した多数のＬＥＤと面発光部との距離が近接しすぎると輝度むら、色むらとして認識され、それが照らす液晶の表示品質を悪化させてしまう。この現象は、高輝度を実現するために、１個当りの電力が１Ｗクラス以上の高出力ＬＥＤを光源とした場合にいっそう顕著に現われる。反面、輝度むら、色むらを低減させるためにＬＥＤと面発光部（拡散板）との距離を遠ざけることは、装置全体の厚みを増加させることにつながり、近年の薄型化の傾向に反して好ましくない。
【特許文献１】特開平８−１７１８０６号公報
【特許文献２】特開２００６−１０６２１２号公報
【特許文献３】特開２００５−３１６３３７号公報
【発明の開示】
【発明が解決しようとする課題】
【０００５】
本発明は、上記のような従来の技術的課題に鑑みてなされたもので、サイドライト方式の中空式面照明装置であって、装置を大型化することなく、照明光の高輝度化、かつ、高均斉度化が可能な中空式面照明装置を提供することを目的とする。
【０００６】
尚、本願において、「サイドライト方式」とは、発光面の背部側方の光源から発光面に平行な方向に光を出射し、この光を屈折、反射、拡散させて発光面に導光する照明方式をいう。
【課題を解決するための手段】
【０００７】
本発明の１つの特徴は、中空のユニットケースの底面側に光反射面部材を配置し、前記ユニットケースの前記光反射面部材と対向する表側に発光面部材を配置し、前記ユニットケースにおける前記光反射面部材と発光面部材とで挟まれる空間を中空導光領域とし、配線基板に赤色、緑色、青色それぞれを単色発光する多数個のＬＥＤを列設実装して成るＬＥＤ光源を前記中空導光領域に隣接して、当該中空導光領域に出射するように配置し、前記ＬＥＤ光源からの光をその光軸が前記ユニットケースの発光面部材の面に平行になるように集光するＬＥＤコリメータを前記ＬＥＤ光源の出射部に前記ＬＥＤの配列と平行に配置し、前記光反射面部材上の前記ＬＥＤコリメータの近傍位置に、前記ＬＥＤ光源から中空導光領域に入射した光に対して赤色光、緑色光、青色光それぞれの照度を個別に計測するカラーセンサを設置し、前記カラーセンサの計測する赤色光、緑色光、青色光それぞれの照度に基づき、前記ＬＥＤ光源の赤色、緑色、青色それぞれのＬＥＤの発光強度を制御するＬＥＤ制御手段を設けた中空式面照明装置である。
【０００８】
本発明の別の特徴は、中空のユニットケースの底面側に光反射面部材を配置し、前記ユニットケースの前記光反射面部材と対向する表側に発光面部材を配置し、前記ユニットケースにおける前記光反射面部材と発光面部材とで挟まれる空間を中空導光領域とし、配線基板に白色発光する多数個のＬＥＤを列設実装して成るＬＥＤ光源を前記中空導光領域に隣接して、当該中空導光領域に出射するように配置し、前記ＬＥＤ光源からの光をその光軸が前記ユニットケースの発光面部材の面に平行になるように集光するＬＥＤコリメータを前記ＬＥＤ光源の出射部に前記ＬＥＤの配列と平行に配置し、前記光反射面部材上の前記ＬＥＤコリメータの近傍位置に、前記ＬＥＤ光源から中空導光領域に入射した白色光の照度を計測する照度センサを設置し、前記照度センサの計測する照度に基づき前記ＬＥＤ光源のＬＥＤの発光強度を制御するＬＥＤ制御手段を設けた中空式面照明装置である。
【発明の効果】
【０００９】
本発明によれば、カラーＬＥＤ光源の３色ＬＥＤそれぞれの照度を計測し、各色ＬＥＤの輝度を個別に制御することで、同じ電力を供給した場合には発光輝度に違いがある各色ＬＥＤをそれらの照度が一定になるように各色ＬＥＤの発光輝度を制御することができ、高輝度で、かつ均斉度も高い照明光を出射でき、大型液晶表示装置のバックライトユニットとしても採用できるサイドライト方式の中空式面照明装置を提供することができる。
【００１０】
本発明によれば、また、照度センサにて白色ＬＥＤ光源からの光の照度を計測し、この計測した照度に基づいてＬＥＤ光源の輝度を制御することで、高輝度で、かつ均斉度も高い照明光を出射でき、大型液晶表示装置のバックライトユニットとしても採用できるサイドライト方式の中空式面照明装置を提供することができる。
【発明を実施するための最良の形態】
【００１１】
以下、本発明の実施の形態を図に基づいて詳説する。
【００１２】
（第１の実施の形態）図１、図２は本発明の１つの実施の形態の中空式面照明装置としての液晶表示装置用のバックライトユニットを示している。このバックライトユニットは、矩形のユニットケース１の底面中央で１つの辺に平行な線に沿って盛上り、その稜線の両側に遠ざかるほど漸次低くなる山形の光反射面部材２が配置してある。このユニットケース１の発光面である表側開口面に発光面部材３が配置してある。そして、ユニットケース１に発光面部材３側からフロントフレーム４を被せ、ユニットケート１と一体化することで本実施の形態のバックライトユニットが組み上げられている。ユニットケース１内の、光反射面部材２と発光面部材３とで挟む空間部分は、中空導光領域１０となっている。
【００１３】
光反射面部材２は、金属あるいは樹脂の機材に高反射性、かつ拡散反射性を有する材料、例えば白色ＰＥＴフィルムや白色インクを積層させ、かつ、発光面部材３での輝度分布が均一になるように、発光面部材３との距離を変化させる形状にしてある。光拡散反射性を有する材料としては、上記の他に、鏡面反射性を持つ高反射アルミニウム等に光透過性拡散材をコーティングしたものでもよい。
【００１４】
山形の光反射面部材２の両側の低部それぞれに、後述するＬＥＤ光源５からの３色光赤色（Ｒ）、緑色（Ｇ）、青色（Ｂ）それぞれの照度を検出するカラーセンサ１１Ａ，１１Ｂが設置してある。
【００１５】
発光面部材３は、少なくとも光透過拡散板３Ａに対して、さらに拡散シート３Ｂ，３Ｃ、レンズシート３Ｄ等の光学シートを重ねて構成したものであり、中空導光領域１０を通り、山形の光反射部材２に当たって反射して来た光を均一に拡散、出射させることで、発光面での輝度むらをなくし、均斉度を高くする働きをする。
【００１６】
ユニットケース１は、アルミニウム合金等の高熱伝導性の金属で形成されている。このユニットケース１における光反射面部材２の稜線に平行な両側面それぞれに、ＬＥＤ光源５が配置してある。
【００１７】
このＬＥＤ光源５は、ユニットケース１の該当側面に収容できる幅を持つ細長い配線基板６上に多数個のＬＥＤ７を一列若しくは複数列に列設実装したものである。配線基板６は光熱伝導性のアルミ系、同系合金などの金属や、窒化アルミニウム等のセラミックにより形成してあり、高熱伝導性のユニットケース１の側壁にねじ止め、接着その他の手段で固定している。尚、この配線基板６とユニットケース１の側壁との間には高熱伝導性の両面テープ、シートあるいはグリースを介在させるのが好ましい。ＬＥＤ光源５上に実装されるＬＥＤ７には、所望の白色色度に合成させるための数量比で配置した赤色（Ｒ）、緑色（Ｇ）、青色（Ｂ）の３色ＬＥＤを用いている。
【００１８】
ＬＥＤ光源５の出射側、つまり、中空導光領域１０に面する側に、ＬＥＤ７の列を覆う形状の凹溝８が形成された細長いＬＥＤコリメータ９が配置してある。このＬＥＤコリメータ９は、ＬＥＤ光源５のＬＥＤ７からの光を中空導光領域１０の厚さ方向に集光させてこの中空導光領域１０に入光させるための部材であり、例えば、アクリルやポリカーボネートのような透明樹脂、あるいはガラスで形成されている。
【００１９】
図３、図４に詳しく示してあるように、ＬＥＤコリメータ９のＬＥＤ７の列に面する入射部側に凹溝８が形成されている。この凹溝８の溝壁面は、ＬＥＤ７の光軸に近い角度の放射光を体内に導光する凸形状の入射面ＩｎＡと、ＬＥＤ７の光軸から離れた角度の放射光を体内に導光する平面形状の入射面ＩｎＢ１，ＩｎＢ２となっている。ＬＥＤコリメータ９の図において下側と上側に位置する側面は、体内の光を全反射する全反射面ＴＩＲ１，ＴＩＲ２となっている。ＬＥＤコリメータ９の出射部は、入射面ＩｎＡからの入射光に対応する凸形状の出射面ＥｘＡと、入射面ＩｎＢ１，ＩｎＢ２から入射した後、全反射面ＴＩＲ１，ＴＩＲ２で全反射した光に対応する凹曲面形状の出射面ＥｘＢ１，ＥｘＢ２となっている。
【００２０】
ＬＥＤ７の列からＬＥＤコリメータ９に入り、ＬＥＤコリメータ９から中空導光領域１０に出射する光ＲＹＡ，ＲＹＢ１，ＲＹＢ２は、形状を最適化した反射面部材２の反射面で発光面部材３の方向へ反射され、この発光面部材３の発光面から高輝度で、かつ輝度むらのない状態で出射される。このＬＥＤコリメータ９の存在によって、ＬＥＤ７から広角度に放射される光を光利用効率８０％以上の高効率かつ狭角度で集光し、中空導光領域１０における反射損失を最低限に抑え、従来の中空方式のバックライトユニットよりも輝度が向上する。また、光源の集光性が高く、反射面を拡散反射性としても輝度均斉度も高く、かつ、局所的な輝線の発生も防止する。図５は、本実施の形態のバックライトユニット３０における、発光面の相対する２側面それぞれに設けられた一対のＬＥＤ光源５による光源ラインに直角な方向（ＬＥＤ配列方向に直角あるいはＬＥＤの光軸方向に平行な方向）を輝度分布測定ライン３１とし、その輝度分布測定ライン３１上における一対のＬＥＤ光源５による光源ライン間の輝度分布を示している。尚、ＬＥＤ光源５はこの場合、図５（ａ）のバックライトユニット３０において上下それぞれの長辺の位置に相対向するように設置されている。
【００２１】
次に、図６を用いて、本実施の形態のバックライトユニットにおけるＬＥＤ光源５の輝度制御回路について説明する。輝度制御回路は、両側のＬＥＤ光源５，５それぞれにおけるＲＧＢそれぞれの単色光ＬＥＤ７Ｒ，７Ｇ，７Ｂを点灯駆動するＬＥＤ駆動部２１Ａ，２１Ｂと、山形の反射面部材２の両側低部それぞれに設置されたカラーセンサ１１Ａ，１１Ｂからの光検出信号をデータ処理するカラーセンサデータ処理部２２Ａ，２２Ｂ、これらのカラーセンサデータ処理部２２Ａ，２２ＢからのＲＧＢ各色の照度データに対して所定の比較・演算処理を行い、ＬＥＤ駆動部２１Ａ，２１Ｂに対してＲＧＢ各色ＬＥＤ７Ｒ，７Ｂ，７Ｇに対する供給電力の増減を指令する比較・演算処理部２３を備えている。
【００２２】
比較・演算処理部２３は、カラーセンサデータ処理部２２Ａ，２２ＢからのＲＧＢ各色の照度データを用いて、両側それぞれで各色光照度Ｒ：Ｇ：Ｂの比率を参照値と比較し、各色光間の輝度比率調整値を求め、また、両側で全色光の合算照度（Ａ側Ｒ＋Ｇ＋Ｂ，Ｂ側Ｒ＋Ｇ＋Ｂ）を比較して照度を均斉化するために必要なＬＥＤ７Ｒ，７Ｇ，７Ｂに供給するパワーの増減率を求め、これらによって両側のＬＥＤ光源５，５それぞれにおけるＲＧＢそれぞれの単色光ＬＥＤ７Ｒ，７Ｇ，７Ｂに対する供給電力を算出し、ＬＥＤ駆動部２１Ａ，２１Ｂに出力する。ＬＥＤ駆動部２１Ａ，２１ＢにおけるＬＥＤ７Ｒ，７Ｂ，７Ｇそれぞれに対する輝度調整はＬＥＤ電流の調整若しくはパルス幅調整により行う。
【００２３】
バックライトユニットの相対する両側それぞれに設置したＬＥＤ光源５，５からの光は、ＬＥＤコリメータ９を経由して中空導光領域１０に入り、山形の反射面部材２で反射されて発光面部材３に背面側から到達し、発光面部材３にて拡散、集光されて均斉度の高い面光源として出射する。このとき、反射面部材２は山形であるので、中央の稜線よりも各ＬＥＤ光源５に近い片半部ではその側のＬＥＤ光源５からの光が支配的となる。したがって、両側のＬＥＤ光源５，５それぞれのトータル輝度に高低があれば、発光面から出射する光に稜線に対応する中央線の両側で明暗差が出ることになる。そこで、本実施の形態の場合、両側のＬＥＤ光源５，５それぞれからの光の照度を両側のカラーセンサ１１Ａ，１１Ｂにて個別に計測し、その計測値に基づき比較・演算部２３が所定の比較・演算処理を行い、ＬＥＤ駆動部２１Ａ，２１ＢによりＬＥＤ７Ｒ，７Ｇ，７Ｂに対する供給電力を調整するので、発光面全体での輝度の均斉度を高めることができる。また、カラーセンサ１１Ａ，１１Ｂにて単色光ＲＧＢそれぞれの照度を検出し、白色光を合成するのに必要な照度比率になるように単色光ＬＥＤそれぞれの輝度比率を調整するので、カラー液晶に対して適切な白色光を照射できるバックライトユニットを提供できる。
【００２４】
尚、上記実施の形態ではカラーセンサ１１Ａ，１１Ｂを光反射面部材２の両側低部それぞれの上に設置したが、これらのカラーセンサ１１Ａ，１１Ｂは中空導光領域１０における光反射面部材２の山形の稜線部で分けられた両側それぞれの空間に、両側のＬＥＤ光源５，５それぞれからの光の照度を個別に計測できる場所であれば限定されることはなく、例えば、光反射面部材２の他の該当箇所、ユニットケース１の内壁面の該当場所、またフロントフレームの縁部の中空導光領域１０に面する部分に設置することもできる。
【００２５】
また、上記実施の形態では、光反射面部材２は中央を稜線とする山形とし、ＬＥＤ光源５はユニットケース１における光反射面部材２の両側低部に隣接する側面部それぞれに設置し、カラーセンサ１１Ａ，１１Ｂは光反射面部材２の両側低部それぞれの上に設置したが、本発明はこれに限らず、片スロープの反射面部材を使用し、１つのＬＥＤ光源をユニットケースにおける光反射面部材の低部に隣接する側面部に設置し、かつ、１つのカラーセンサを光反射面部材の低部の上に設置し、あるいはその他の適当な場所に設置する構成にすることもできる。そしてこの場合、カラーセンサにてＲＧＢ各色光の照度の比率とＲＧＢ３色光の照度のトータルを計測し、これらをリファレンスと比較して白色度と輝度を制御する制御回路構成をとることになる。
【００２６】
（第２の実施の形態）図７を用いて、本発明の第２の実施の形態のバックライトユニットについて説明する。本実施の形態のバックライトユニットの構造は、図１、図２に示した第１の実施の形態と共通である。そして、本実施の形態の特徴は、第１の実施の形態と同様に光反射面部材２の両側の低部に設置したセンサ１１Ａ，１１Ｂを、光照度を計測する照度センサとしたこと、また、ＬＥＤ光源５のＬＥＤ７は、たとえば、青色ＬＥＤとその発光によって励起されて発光する蛍光体とをパッケージした白色ＬＥＤを採用したこと、そして、照度センサ１１Ａ，１１Ｂの検出する照度の高低により両側のＬＥＤ光源５，５の発光輝度を調整する図７に示すＬＥＤ光源５の輝度制御回路を備えたことにある。
【００２７】
本実施の形態のバックライトユニットにおける輝度制御回路は、両側のＬＥＤ光源５，５それぞれにおける白色ＬＥＤ７を点灯駆動するＬＥＤ駆動部２１０Ａ，２１０Ｂと、山形の反射面部材２の両側低部それぞれに設置された照度センサ１１０Ａ，１１０Ｂからの光検出信号をデータ処理する照度センサデータ処理部２２０Ａ，２２Ｂ、これらの照度センサデータ処理部２２０Ａ，２２０Ｂからの照度データに対して所定の比較・演算処理を行い、ＬＥＤ駆動部２１０Ａ，２１０Ｂに対してＬＥＤ７に対する供給電力の増減を指令する比較・演算処理部２３０を備えている。
【００２８】
比較・演算処理部２３０は、照度センサデータ処理部２２０Ａ，２２０Ｂからの照度データを用いて、両側の照度を比較し、照度を均斉化するために必要なＬＥＤ７に供給するパワーの増減率を求め、ＬＥＤ駆動部２１０Ａ，２１０Ｂに出力する。ＬＥＤ駆動部２１０Ａ，２１０ＢにおけるＬＥＤ７に対する輝度調整はＬＥＤ電流の調整若しくはパルス幅調整により行う。
【００２９】
本実施の形態にあっても、両側のＬＥＤ光源５，５それぞれからの光の照度を両側の照度センサ１１Ａ，１１Ｂにて個別に計測し、その計測値に基づき比較・演算部２３０が所定の比較・演算処理を行い、ＬＥＤ駆動部２１０Ａ，２１０ＢによりＬＥＤ７に対する供給電力を調整するので、発光面全体での輝度の均斉度を高めることができる。
【００３０】
尚、上記実施の形態では照度センサ１１Ａ，１１Ｂを光反射面部材２の両側低部それぞれの上に設置したが、これらの照度センサ１１Ａ，１１Ｂは中空導光領域１０における光反射面部材２の山形の稜線部で分けられた両側それぞれの空間に、両側のＬＥＤ光源５，５それぞれからの光の照度を個別に計測できる場所であれば限定されることはなく、例えば、光反射面部材２の他の該当箇所、ユニットケース１の内壁面の該当箇所、またフロントフレームの縁部の中空導光領域１０に面する部分に設置することもできる。
【００３１】
また、上記実施の形態では、光反射面部材２は中央を稜線とする山形とし、ＬＥＤ光源５はユニットケース１における光反射面部材２の両側低部に隣接する側面部それぞれに設置し、照度センサ１１Ａ，１１Ｂは光反射面部材２の両側低部それぞれの上に設置したが、本発明はこれに限らず、片スロープの反射面部材を使用し、１つのＬＥＤ光源をユニットケースにおける光反射面部材の低部に隣接する側面部に設置し、かつ、１つの照度センサを光反射面部材の低部の上に設置し、あるいはその他の適当な場所に設置する構成にすることもできる。そしてこの場合、照度センサにて照度を計測し、これをリファレンスと比較して輝度を制御する制御回路構成をとることになる。
【図面の簡単な説明】
【００３２】
【図１】本発明の第１の実施の形態のバックライトユニットの分解斜視図。
【図２】上記実施の形態のバックライトユニットの断面図。
【図３】上記実施の形態で採用したＬＥＤコリメータの一部破断斜視図。
【図４】上記実施の形態におけるＬＥＤコリメータの集光特性を示す断面図。
【図５】上記実施の形態のバックライトユニットの輝度分布特性を示すグラフ。
【図６】上記実施の形態のバックライトユニットにおける輝度制御回路のブロック図。
【図７】本発明の第２の実施の形態のバックライトユニットにおける輝度制御回路のブロック図。
【符号の説明】
【００３３】
１  ユニットケース
２  反射面部材
３  発光面部材
４  フロントフレーム
５  ＬＥＤ光源
６  配線基板
７  ＬＥＤ
７Ｒ  赤色ＬＥＤ
７Ｇ  緑色ＬＥＤ
７Ｂ  青色ＬＥＤ
９  ＬＥＤコリメータ
１０  中空導光領域
２１Ａ，２１Ｂ  ＬＥＤ駆動部
２２Ａ，２２Ｂ  カラーセンサデータ処理部
２３  比較・演算部
２１０Ａ，２１０Ｂ  ＬＥＤ駆動部
２２０Ａ，２２０Ｂ  照度センサデータ処理部
２３０  比較・演算部
【図１】
2008251230.tif 000003
【図２】
2008251230.tif 000004
【図３】
2008251230.tif 000005
【図４】
2008251230.tif 000006
【図５】
2008251230.tif 000007
【図６】
2008251230.tif 000008
【図７】
2008251230.tif 000009